(57)【特許請求の範囲】
【請求項１】
ＧＰＳ受信回路及びＣＤＭＡ受信回路を内蔵し、表示部を有する上蓋が下部筐体に対して開閉可能に結合されている折畳み式の携帯電話機において、
前記下部筐体に設けられたＣＤＭＡ／ＧＰＳ共用アンテナと、
前記上蓋の表示部側の表面部分または前記下部筐体のキー側の表面部分に設けられたＧＰＳアンテナと、
前記上蓋の開閉を検出する上蓋開閉検出回路と、
前記上蓋開閉検出回路からの検出信号に基づいて、前記上蓋が開状態のときは前記ＧＰＳアンテナを選択し、前記上蓋が閉状態のときは前記ＣＤＭＡ／ＧＰＳ共用アンテナを選択するアンテナ切替スイッチと、
前記アンテナ切替スイッチに接続されるＲＦ切替スイッチと、
前記上蓋が閉状態でモードがＧＰＳモードのときには、前記ＣＤＭＡ／ＧＰＳ共用アンテナを前記ＧＰＳ受信回路に接続し、前記上蓋が閉状態でモードがＣＤＭＡモードのときには、前記ＣＤＭＡ／ＧＰＳ共用アンテナを前記ＣＤＭＡ受信回路に接続するように、前記ＲＦ切替スイッチを切替制御するＧＰＳ/ＣＤＭＡモード検出回路と、
を備えたことを特徴とする携帯電話機。
【請求項２】
前記ＧＰＳアンテナは、前記下部筐体のキーの上側または下側の面に配置されることを特徴とする請求項１記載の携帯電話機。
【請求項３】
前記ＧＰＳアンテナは、前記上蓋の表示部の上側または下側の面に配置されることを特徴とする請求項１記載の携帯電話機。
【請求項４】
前記ＣＤＭＡ／ＧＰＳ共用アンテナは前記下部筐体のヒンジ側の端部に配置されることを特徴とする請求項１乃至３のいずれかに記載の携帯電話機。
【発明の詳細な説明】
【０００１】
【発明の属する技術分野】
本発明は、ＧＰＳアンテナとＣＤＭＡアンテナとを有する携帯電話機に関し、詳しくは、上蓋の開閉によるＧＰＳアンテナの感度劣化を防止した折畳み式の携帯電話機に関する。
【０００２】
【従来の技術】
一般に携帯電話機にはＣＤＭＡアンテナが使用されているが、近年、携帯電話機にＧＰＳアンテナを付加した使用が考えられている。
図４および図５は、ＧＰＳアンテナを付加したＣＤＭＡ携帯電話機のブロック図である。
【０００３】
図４は、ＧＰＳアンテナをＣＤＭＡアンテナと別個に設ける場合の携帯電話機の一般的な構成例である。
図４において、ＧＰＳアンテナ１から入力した受信信号は、バンドパスフィルタ２、アンプ３、バンドパスフィルタ４、ミキサ５、バンドパスフィルタ６を介して復調器１４に入力される。
【０００４】
一方、ＣＤＭＡアンテナ７から入力された受信信号は、アンテナ切替スイッチ２２で切り替えられ、デュプレクサ９、アンプ１０、バンドパスフィルタ１１、ミキサ１２、バンドパスフィルタ１３を介して復調器１４に入力される。復調器１４からの復調信号は、ループフィルタおよび電圧制御発振器（ＶＣＯ）１５を介して、ミキサ５、１２にフィードバックされる。
【０００５】
また、ＣＤＭＡ送信信号は、バンドパスフィルタ１６、アンプ１７、アイソレータ１８、およびデュプレクサ９を介してアンテナ切替スイッチ２２で切り替えられ、ＣＤＭＡアンテナから送信される。また、アンテナ切替スイッチ２２で外部アンテナ接続端子１９の方に切替えられた送信信号は、必要に応じて、外部アンテナを介して送信される。
【０００６】
図５は、ＣＤＭＡアンテナをＧＰＳアンテナとしても利用、すなわち、ＣＤＭＡとＧＰＳの共用アンテナ２０を使用する場合の携帯電話機の一般的な構成例である。同図において、ＣＤＭＡ／ＧＰＳ共用アンテナ２０から入力した受信信号は、ＲＦ切替スイッチ２１で切り替えられ、ＧＰＳ系のＲＦ部またはＣＤＭＡ系のＲＦ部に送られる。その回路構成は図４と同じであるので、詳細な説明は省略する。
【０００７】
【発明が解決しようとする課題】
図４に示すように、ＧＰＳアンテナ１をＣＤＭＡアンテナ７と別個に設置する構成では、ＧＰＳ専用のアンテナを使用するのでＧＰＳアンテナの利得を最適に得ることができるという利点がある反面、ＧＰＳ専用のアンテナ回路が必要となり、回路が複雑化する欠点がある。
【０００８】
また、図５に示すように、ＣＤＭＡ／ＧＰＳ共用アンテナを用いる構成では、回路構成が簡単になるという利点がある反面、アンテナマッチングをデュアルバンドで合わせなければならない等の難しい問題もある。
ただし、上記のような利点および欠点は、携帯電話機がスティックタイプの場合であるが、図２に示すような折畳み式の携帯電話機では、上記以外にも以下のような問題点が生ずる。
【０００９】
図４に示すような回路構成のものを折畳み式携帯電話機に適用した場合、ＧＰＳアンテナを組み込む場所として、後述のように携帯電話機の上蓋を開いた状態における下部筐体または上蓋の表面の空いたスペースが考えられる。しかしながら、ＧＰＳアンテナを上蓋に設けると、上蓋を閉じたときに上蓋がＧＰＳアンテナの利得を悪化させ、このため充分なＧＰＳアンテナの受信感度が得られない。また、ＧＰＳアンテナを下部筐体に設けると、ユーザが携帯電話機を操作する際、ＧＰＳアンテナに手が掛かり、人体の影響でＧＰＳアンテナの受信感度が悪化することがある。また、ＧＰＳアンテナ固有の指向性の問題で携帯電話機の向きによってはまったく受信できない場合が生じる。
【００１０】
また、図５に示すように折畳み式携帯電話機にＣＤＭＡアンテナとＧＰＳアンテナを共有したＣＤＭＡ／ＧＰＳ共有アンテナを設置した場合、ＣＤＭＡアンテナはＧＰＳアンテナと比較して指向性は３６０°ほぼ均一であるが、折畳み式携帯電話機の上蓋を開いた場合、上蓋が下部筐体に設けられたＣＤＭＡアンテナを覆う位置に来るため、ＧＰＳアンテナの感度劣化が生じてしまうという問題があった。
【００１１】
本発明は、上記のような課題を解決するためになされたもので、上蓋の開閉と連動してＧＰＳアンテナとＣＤＭＡアンテナの切替えを行うことにより、上蓋を開閉したときのアンテナ利得劣化を最小限に抑えることができる携帯電話機を提供することを目的とする。
【００１２】
【課題を解決するための手段】
上記課題を解決し、本発明の目的を達成するため、本発明の携帯電話機は、ＧＰＳ受信回路及びＣＤＭＡ受信回路を内蔵し、表示部を有する上蓋が下部筐体に対して開閉可能に結合されている折畳み式の携帯電話機において、前記下部筐体に設けられたＣＤＭＡ／ＧＰＳ共用アンテナと、上蓋の表示部側の表面部分または下部筐体のキー側の表面部分に設けられたＧＰＳアンテナと、上蓋の開閉を検出する上蓋開閉検出回路を備えている。
そして、上蓋開閉検出回路からの検出信号に基づいて、上蓋が開状態のときはＧＰＳアンテナを選択し、上蓋が閉状態のときはＣＤＭＡ／ＧＰＳ共用アンテナを選択するアンテナ切替スイッチと、このアンテナ切替スイッチに接続されるＲＦ切替スイッチと、上蓋が閉状態でモードがＧＰＳモードのときには、ＣＤＭＡ／ＧＰＳ共用アンテナをＧＰＳ受信回路に接続し、上蓋が閉状態でモードがＣＤＭＡモードのときには、ＣＤＭＡ／ＧＰＳ共用アンテナをＣＤＭＡ受信回路に接続するように、ＲＦ切替スイッチを切替制御するＧＰＳ/ＣＤＭＡモード検出回路を備えている。
【００１３】
また、本発明の好ましい形態としての携帯電話機においては、ＧＰＳアンテナは、下部筐体のキーの上側または下側の面に配置されるか、上蓋の表示部の上側または下側の面に配置されることを特徴とする。
【００１４】
本発明の携帯電話機のＣＤＭＡ／ＧＰＳ共用アンテナは前記下部筐体のヒンジ側の端部に配置されることを特徴とする。
【００１５】
【発明の実施の形態】
以下、本発明の一実施の形態を図面に基づいて説明する。なお、図１において、図４および図５と同一部材または同一機能のものは同一符号で示して説明を省略する。
図１は、本発明の一実施の形態であるＧＰＳアンテナとＣＤＭＡ／ＧＰＳ共用アンテナを有するＣＤＭＡ方式の携帯電話機機における高周波（ＲＦ）部のブロック図である。
図１において、ＧＰＳアンテナ１とＣＤＭＡ／ＧＰＳ共用アンテナ２０は、アンテナ切替スイッチ２２で切り替えられ、受信されたＲＦ信号は、ＲＦ切替スイッチ２１を介してＧＰＳ受信回路またはＣＤＭＡ受信回路に供給される。上蓋開閉検出回路２３は、上蓋２５ｂが開いた状態にあるか閉じた状態にあるかを検出する回路であり、上蓋２５ｂが開いた状態にあるときには、アンテナ切替スイッチ２２をＧＰＳアンテナ側に接続し、上蓋２５ｂが閉じた状態にあるときには、アンテナ切替スイッチ２２をＣＤＭＡ／ＧＰＳ共用アンテナ２０側に接続する。
【００１６】
一方、ＧＰＳ／ＣＤＭＡモード検出回路２４は、ＧＰＳ受信回路とＣＤＭＡ受信回路を選択するスイッチであり、上蓋開閉検出回路２３の出力がＧＰＳモードであるときには、ＲＦ切替スイッチ２１をＧＰＳ受信回路に接続し、上蓋開閉検出回路２３の出力がＣＤＭＡモードであるときには、ＲＦ切替スイッチ２１をＣＤＭＡ受信回路に接続する。ＧＰＳ受信回路またはＣＤＭＡ受信回路の回路構成は、従来の図４および図５の回路構成と同様であるので詳細な説明は省略する。
【００１７】
図２は、本実施の形態の折畳み式携帯電話機の外観図であって、（ａ）は上蓋を開いたとき、（ｂ）は上蓋を閉じたときの状態を示している。
図２において、携帯電話機２５は、下部筐体２５ａと上蓋２５ｂとがヒンジ部２５ｃで開閉可能に結合されている。下部筐体２５ａのヒンジ側の上端にはポール状のＣＤＭＡ／ＧＰＳ共用アンテナ２０が取り付けられている。そして、図２（ａ）に示される携帯電話機２５の上蓋２５ｂを開いたときにみえるように、下部筐体２５ａまたは上蓋２５ｂの表面の適当な位置にＧＰＳアンテナ１が組み込まれている。ＧＰＳアンテナ１を組み込む位置としては、下部筐体２５ａまたは上蓋２５ｂの表面の空きスペース部分が適当である。図２（ａ）に示すように、ＧＰＳアンテナ１は、下部筐体２５ａのキー２６の上方または下方の位置ａまたはｂ、あるいは上蓋２５ｂの表示部２７の上方または下方の位置ｃまたはｄのいずれか１箇所に配置される。
【００１８】
図２（ａ）のように上蓋２５ｂを開いたときには、ＧＰＳアンテナ１はＧＰＳ障害物がないのでアンテナゲインは大きいが、ＣＤＭＡ／ＧＰＳ共用アンテナ２０は、上蓋２５ｂで覆われアンテナゲインが低下する。一方、上蓋を閉じた時にはＣＤＭＡ／ＧＰＳ共用アンテナ２０は障害物がないのでアンテナゲインは大きいが、ＧＰＳアンテナ１は上蓋２５ｂでアンテナが覆われアンテナゲインが低下する。
【００１９】
次に、本発明の携帯電話機の動作を図３のフローチャートを用いて説明する。
まず、処理がスタートすると、ステップＳ１で、携帯電話機の上蓋が開いているか否かが判断される。ステップＳ１で、携帯電話機の上蓋が開いていると判断されると（ステップＳ１でＹｅｓの場合）、ステップＳ２で、アンテナ切替スイッチ２２がＧＰＳアンテナ側に切り替えられ、ステップＳ４に進み、携帯電話機の上蓋が開いていないと判断されると（ステップＳ１でＮｏの場合）、ステップＳ３で、アンテナ切替スイッチ２２がＣＤＭＡ／ＧＰＳ共用アンテナ側に切り替えられ、ステップＳ４に進む。
【００２０】
次に、ステップＳ４で現在の受信モードがＣＤＭＡモードかＧＰＳモードかが判断される。ステップＳ４で、アンテナモードが、ＣＤＭＡモードであると判断されると（ステップＳ４でＹｅｓの場合）、ステップＳ５に進み、ＲＦ切替スイッチ２１がＣＤＭＡ受信回路側に切り替えられる。一方、ステップＳ４で、アンテナモードが、ＧＰＳモードであると判断されると（ステップＳ４でＮｏの場合）、ＲＦ切替スイッチ２１がＧＰＳ受信回路側に切り替えられる。
【００２１】
ＲＦ切替スイッチ２１でＧＰＳ側受信回路側に切り替えられた受信信号は、バンドパスフィルタ２、アンプ３、バンドパスフィルタ４、ミキサ５、バンドパスフィルタ６を介して復調器１４に入力される。また、ＲＦ切替スイッチ２１でＣＤＭＡ側受信回路側に切り替えられた受信信号は、デュプレクサ９、アンプ１０、バンドパスフィルタ１１、ミキサ１２、バンドパスフィルタ１３を介して復調器１４に入力される。なお、ＣＤＭＡ送信信号は、バンドパスフィルタ１６、アンプ１７、アイソレータ１８、およびデュプレクサ９、ＲＦ切替スイッチ２１およびアンテナ切替スイッチ２２を介して、ＣＤＭＡ／ＧＰＳ共用アンテナ２０から送信される。
【００２２】
【発明の効果】
以上のように、本発明によれば、下部筐体にＣＤＭＡ／ＧＰＳ共用アンテナを設け、上蓋の表示部側または下部筐体のキー側の表面部分にＧＰＳアンテナを設け、上蓋の開閉を検出する開閉検出信号に基づいて、アンテナ切替スイッチを上蓋が開いているときにはＧＰＳアンテナ側に、上蓋が閉じているときにはＣＤＭＡ／ＧＰＳ共用アンテナ側に切替えるようにしたので、上蓋開閉によるアンテナの感度劣化を最小限に抑えることができるという効果がある。
【図面の簡単な説明】
【図１】本発明の携帯電話機の一実施の形態を示すブロック図である。
【図２】本発明の携帯電話機の外観図であって、（ａ）は上蓋が開いたとき、（ｂ）は上蓋が閉じたときに状態を示す。
【図３】本発明の携帯電話機の処理の流れを示すフローチャートである。
【図４】ＧＰＳアンテナをＣＤＭＡアンテナと別個に設けた携帯電話機の一般的な構成例である。
【図５】ＣＤＭＡ／ＧＰＳ共用アンテナを使用した携帯電話機の一般的な構成例である。
【符号の説明】
１    ＧＰＳアンテナ
２、４、６、１１、１３、１６    バンドパスフィルタ
３、１０、１７    アンプ
５、１２    ミキサ
７    ＣＤＭＡアンテナ
９    デュプレクサ
１４    復調器
１５    電圧制御発振器
１８    アイソレータ
２０    ＣＤＭＡ／ＧＰＳ共用アンテナ
２１    ＲＦ切替スイッチ
２２    アンテナ切替スイッチ
２３    上蓋開閉検出回路
２４    ＧＰＳ／ＣＤＭＡモード検出回路
２５    携帯電話機
２５ａ  下部筐体
２５ｂ  上蓋
２６    キー
２７    表示部
【図１】
0004599761.tif 000002
【図２】
0004599761.tif 000003
【図３】
0004599761.tif 000004
【図４】
0004599761.tif 000005
【図５】
0004599761.tif 000006